Podtech/llm-jp-corpus-v4-ja_patent huggingface dataset:
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
１．３ｍｍ以下の厚さを有するガラス物品において、
５４〜７５モル％のＳｉＯ２；
８〜１７モル％のＡｌ２Ｏ３；
Ｂ２Ｏ３及びＰ２Ｏ５のうちの少なくとも１つ、ここで、０．１モル％≦Ｂ２Ｏ３＋Ｐ２Ｏ５≦１９モル％である；
１０〜２０モル％のＲ２Ｏ、ここで、該Ｒ２ＯはＮａ２Ｏ、Ｋ２Ｏ、及びＬｉ２Ｏのうちの１つ以上を含む；
０超〜１モル％までのＳｎＯ２；及び
無機ＵＶ吸収剤であって、
０．１〜１．０モル％の１種類以上の金属イオン又はその酸化物であって、該金属イオンが、Ｔｉ、Ｖ、Ｍｎ、Ｆｅ、Ｃｕ、Ｃｅ、Ｇｅ、及びそれらの組合せからなる群より選択される、金属イオン又はそれらの酸化物；
０超〜５００質量ｐｐｍまでの１種類以上の金属又はその酸化物であって、該金属が、Ｍｏ、Ｃｒ、Ｃｏ及びＮｉからなる群より選択される、金属又はそれらの酸化物；又は
それらの組合せ
を含む、無機ＵＶ吸収剤
を含む、ガラス物品。
【請求項２】
前記ガラス物品が、式：−３．５＜Ｒ２Ｏ＋ＲＯ−Ａｌ２Ｏ３＜１０によって定められることを特徴とする、請求項１に記載のガラス物品。
【請求項３】
前記ガラス物品が、５４〜６５モル％のＳｉＯ２、１１〜１７モル％のＡｌ２Ｏ３、０〜８モル％の  Ｂ２Ｏ３、０〜４モル％のＲＯ、０〜７モル％のＰ２Ｏ５、１３〜１９モル％のＲ２Ｏ、及び、Ａｌ２Ｏ３＋Ｂ２Ｏ３＋Ｐ２Ｏ５の合計＞１９モル％を含むことを特徴とする、請求項１又は２に記載のガラス物品。
【請求項４】
前記ガラス物品が、０〜１２モル％のＢ２Ｏ３、０〜７モル％のＰ２Ｏ５、及び、３モル％≦Ｂ２Ｏ３＋Ｐ２Ｏ５≦１５モル％を含むことを特徴とする、請求項１から３いずれか１項記載のガラス物品。
【請求項５】
１．３ｍｍ以下の厚さを有するガラス物品であって、該ガラス物品がアルカリ金属及び酸化物を実質的に含まず、かつ、
６５〜７４モル％のＳｉＯ２；
１１〜１３モル％のＡｌ２Ｏ３；
１１〜１６モル％のＲＯ、ここで、該ＲＯはＭｇＯ、ＣａＯ、ＳｒＯ、ＢａＯ及びＺｎＯのうちの１種類以上である；
２〜１１モル％のＢ２Ｏ３；
０超〜１モル％までのＳｎＯ２；及び
無機ＵＶ吸収剤において、
０．１〜１．０モル％の１種類以上の金属イオン又はそれらの酸化物であって、該金属イオンが、Ｔｉ、Ｖ、Ｍｎ、Ｆｅ、Ｃｕ、Ｃｅ、Ｇｅ、及びそれらの組合せからなる群より選択される、金属イオン又はそれらの酸化物；
０超〜５００質量ｐｐｍまでの１種類以上の金属又はそれらの酸化物であって、該金属が、Ｍｏ、Ｃｒ、Ｃｏ及びＮｉからなる群より選択される、金属イオン又はそれらの酸化物；又は
それらの組合せ
を含む無機ＵＶ吸収剤
を含む、ガラス物品。
【請求項６】
前記無機ＵＶ吸収剤が、１５０質量ｐｐｍ以下の１種類以上の金属又はそれらの酸化物を含み、該金属が、Ｍｏ、Ｃｒ、Ｃｏ及びＮｉからなる群より選択されることを特徴とする、請求項１〜５のいずれか一項に記載のガラス物品。
【請求項７】
前記無機ＵＶ吸収剤が、０．２〜１．０モル％の１種類以上の金属イオン又はそれらの酸化物を含み、該金属イオンが、Ｔｉ、Ｖ、Ｍｎ、Ｆｅ、Ｃｕ、Ｃｅ、Ｇｅ、及びそれらの組合せからなる群より選択されることを特徴とする、請求項１〜６のいずれか一項に記載のガラス物品。
【請求項８】
前記ガラス物品が、０．１〜１モル％のＳｎ又はＳｎＯ２を含むことを特徴とする、請求項１〜７のいずれか一項に記載のガラス物品。
【請求項９】
前記ガラス物品が、２７０ｎｍのスペクトル波長において２以上のＵＶ吸光度／ｍｍ、及び４００〜７００ｎｍの少なくとも１つの波長について０．０２５未満の誘起された吸光度を有することを特徴とする、請求項１〜８のいずれか一項に記載のガラス物品。
【請求項１０】
前記ガラス物品の前記厚さが０．１〜１．０ｍｍであることを特徴とする、請求項１〜９のいずれか一項に記載のガラス物品。
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
式Ｉの化合物
【化１】
2017533895.tif 000001
、またはその薬学的に許容可能な、塩、溶媒和物もしくは同位体誘導体。
【請求項２】
４−（（４−（（４−（３−（５−（ｔｅｒｔ−ブチル）−２−メトキシ−３−（メチルスルホンアミド）フェニル）ウレイド）ナフタレン−１−イル）オキシ）ピリジン−２−イル）アミノ）−２−メトキシ安息香酸である、請求項１に記載の化合物。
【請求項３】
薬学的に許容可能な、アジュバント、希釈剤または担体と混合した、請求項１に記載の化合物、またはその薬学的に許容可能な、塩、溶媒和物もしくは同位体誘導体を含む、医薬製剤。
【請求項４】
（Ａ）請求項１に記載の化合物、またはその薬学的に許容可能な塩、溶媒和物もしくは同位体誘導体、および
（Ｂ）別の治療薬
を含んでなる組合せ製剤であって、
成分（Ａ）および（Ｂ）の各々を薬学的に許容可能な、アジュバント、希釈剤または担体と混合して製剤する、前記組合せ製剤。
【請求項５】
医薬分野での使用のための請求項１に記載の化合物、またはその薬学的に許容可能な、塩、溶媒和物もしくは同位体誘導体。
【請求項６】
炎症性疾患の治療もしくは予防用途に用いる、請求項１に記載の化合物、またはその薬学的に許容可能な、塩、溶媒和物もしくは同位体誘導体、または請求項３に記載の医薬製剤、または請求項４に記載の組合せ製剤。
【請求項７】
前記炎症性疾患が嚢胞性線維症、肺高血圧症、肺サルコイドーシス、特発性肺線維症、ＣＯＰＤ（慢性気管支炎および肺気腫を含む）、喘息、小児喘息、アトピー性皮膚炎、アレルギー性皮膚炎、接触性皮膚炎または乾癬、アレルギー性鼻炎、鼻炎、副鼻腔炎、結膜炎、アレルギー性結膜炎、乾性角結膜炎（ドライアイまたは眼球乾燥症）、緑内障、糖尿病性網膜症、黄斑浮腫（糖尿病性黄斑浮腫を含む）、網膜中心静脈閉塞症（ＣＲＶＯ）、萎縮型および／または滲出型加齢黄斑変性（ＡＭＤ）、白内障術後炎症、ぶどう膜炎（後部、前部および汎ぶどう膜炎を含む）、角膜移植および角膜縁移植片拒絶、グルテン過敏性腸症（セリアック病）、好酸球性食道炎、腸移植片対宿主病、クローン病および潰瘍性大腸炎から成るリストから選択される、請求項６に記載の使用のための化合物、製剤または組合せ製剤。
【請求項８】
前記炎症性疾患が糖尿病性網膜症、黄斑浮腫、ぶどう膜炎、乾性角結膜炎（ドライアイまたは眼球乾燥症）、クローン病または潰瘍性大腸炎である、請求項６または請求項７に記載の使用のための化合物、製剤または組合せ製剤。
【請求項９】
前記炎症性疾患が乾性角結膜炎（ドライアイまたは眼球乾燥症）である、請求項６または請求項７に記載の使用のための化合物、製剤または組合せ製剤。
【請求項１０】
請求項１に記載の化合物、またはその薬学的に許容可能な、塩、溶媒和物もしくは同位体誘導体、または
請求項３に記載の医薬製剤または請求項４に記載の組合せ製剤の使用であって、
請求項６〜９のいずれか一項に記載の炎症性疾患の治療用薬剤もしくは予防用薬剤製造のための使用。
【請求項１１】
式Ｉの化合物の製造方法であって、前記方法が：
（ａ）式ＩＩの化合物と
【化２】
2017533895.tif 000002
と式ＩＩＩの化合物との反応であって、
【化３】
2017533895.tif 000003
ここでＺ1およびＺ2のうち１つは式ＩＶの構造フラグメントであり、
【化４】
2017533895.tif 000004
（Ｚ1およびＺ2のうち他方は式Ｖの構造フラグメントである
【化５】
2017533895.tif 000005
）の構造フラグメントである；
（ｂ）式ＩＩａの化合物
【化６】
2017533895.tif 000006
（式中、Ｚ1は上記定義通りである）
と適切なアジド形成剤とを反応であって、この反応後、中間体アシルアジド（式Ｚ1−Ｃ（Ｏ）−Ｎ3）を分離せずに熱転位させることで反応系中で得た式ＩＩの化合物を、次いで、この化合物を上記式ＩＩＩの化合物と反応させる；
（ｃ）式ＩＩｂの化合物
【化７】
2017533895.tif 000007
（式中、ＬＧ1は脱離基であり、Ｚ1は上記定義の通りであり、式ＩＩＩの化合物は上記定義の通りである）
と上記定義の式ＩＩＩの化合物との反応；
（ｄ）式ＶＩの化合物
【化８】
2017533895.tif 000008
（式中、ＬＧ2は脱離基である）
と式ＶＩＩの化合物：
【化９】
2017533895.tif 000009
との反応；または
（ｅ）Ｏ原子もしくはＮ原子上に保護基を有する、式Ｉの化合物の保護誘導体の脱保護反応を含む、請求項１で定義された前記式Ｉの化合物の製造方法。
【請求項１２】
前記式Ｉの化合物の保護誘導体が、式ＶＩＩａの化合物
【化１０】
2017533895.tif 000010
（式中、Ｑxは−Ｃ（Ｏ）Ｏ−Ｃ1〜4アルキルである）
である、請求項１１に記載の方法。
【請求項１３】
請求項１２に記載の式ＶＩＩａの化合物、またはその塩。
【請求項１４】
前記化合物が４−（（４−（（４−（３−（５−（ｔｅｒｔ−ブチル）−２−メトキシ−３−（メチルスルホンアミド）フェニル）ウレイド）ナフタレン−１−イル）オキシ）ピリジン−２−イル）アミノ）−２−メトキシ安息香酸メチルである、請求項１３に記載の式ＶＩＩａの化合物、またはその塩。
【請求項１５】
請求項１２に記載の式ＶＩＩａの化合物の製造方法であって、前記方法が、（ａ）式ＩＩｐの化合物と
【化１１】
2017533895.tif 000011
式ＩＩＩｐの化合物との反応
【化１２】
2017533895.tif 000012
（式中、Ｚ1pおよびＺ2pのうち１つは請求項１１に記載の式ＩＶの構造フラグメントであり、Ｚ1pおよびＺ2pのうち他方は式Ｖｐの構造フラグメントである）
【化１３】
2017533895.tif 000013
（式中、Ｑxは請求項１２に定義した通りである）；
（ｂ）式ＩＩａｐの化合物
【化１４】
2017533895.tif 000014
（式中、Ｚ1pは上記定義の通りである）
と適切なアジド形成剤との反応であって、この反応後、中間体アシルアジド（式Ｚ1p−Ｃ（Ｏ）−Ｎ3）を分離せずに熱転位反応させることで反応系中で得た式ＩＩの化合物を、次いで、上記式ＩＩＩｐの化合物とを反応させる；
（ｃ）式ＩＩｂｐの化合物
【化１５】
2017533895.tif 000015
（式中、ＬＧ1は脱離基であり、Ｚ1pは上記定義の通りである）
と上記定義の式ＩＩＩｐの化合物との反応；
（ｄ）請求項１１に記載の式ＶＩの化合物と式ＶＩＩｐの化合物との反応
【化１６】
2017533895.tif 000016
（式中、Ｑxは請求項１２に定義した通りである）
を含む、請求項１２に記載の式ＶＩＩａの化合物の製造方法。
【請求項１６】
式ＩＩｂｐの化合物であり、
【化１７】
2017533895.tif 000017
（式中、ＬＧ1はフェノキシであり、Ｚ1pは式Ｖｐの構造フラグメントである）
【化１８】
2017533895.tif 000018
Ｑxは請求項１２に定義した通りである化合物。
【請求項１７】
請求項１６に記載の式ＩＩｂｐの化合物（式中、Ｑxが−Ｃ（Ｏ）Ｏ−メチルである）。
【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
研磨パッドを製造する方法であって、
付加製造システムの印刷ヘッドを用いて複数の研磨パッド層を連続的に堆積することを含み、前記研磨パッド層を堆積することは、
前記印刷ヘッドの一又は複数のノズルから研磨パッド前駆体材料を含む液滴を噴射することと、
前記一又は複数のノズルから、研磨粒子、熱伝導性ナノ粒子、細孔形成剤、磁性粒子、圧電性材料、又はそれらの組み合わせを含む添加剤を含む液滴を、前記前駆体材料を含む液滴とは独立に噴射することと、
前記研磨パッド前駆体材料を重合すること
を含み、前記研磨パッド層のそれぞれは、重合された前記研磨パッド前駆体材料と前記添加剤の混合物を含む、研磨パッドを製造する方法。
【請求項２】
前記研磨パッド前駆体材料の液滴と前記添加剤の液滴は、前記一又は複数のノズルの異なるノズルから噴射される、請求項１に記載の方法。
【請求項３】
前記添加剤の液滴噴射率は、前記研磨パッド前駆体材料の液滴噴射率と独立している、請求項１に記載の方法。
【請求項４】
重合された前記研磨パッド前駆体材料との前記混合物中の前記添加剤の濃度は、前記研磨パッド層にわたって均一ではない、請求項１に記載の方法。
【請求項５】
前記添加剤は、熱伝導性ナノ粒子を含む、請求項１に記載の方法。
【請求項６】
前記添加剤は一又は複数の細孔形成剤を含む、請求項１に記載の方法。
【請求項７】
前記添加剤は圧電性材料を含む、請求項１に記載の方法。
【請求項８】
バッキングパッド前駆体材料の液滴を噴射することを含む前記付加製造システムを用いて、複数のバッキングパッド層を連続的に堆積することを含み、前記バッキングパッド前駆体材料は、前記研磨パッド前駆体材料とは異なる、請求項１に記載の方法。
【請求項９】
前記研磨パッド層は、約３０ショアＤから約９０ショアＤのショアＤ硬度を有する、請求項１に記載の方法。
【請求項１０】
前記複数の研磨パッド層は横方向にわたって配置された複数の別個のゾーンを含み、前記複数の別個のゾーンはそれぞれ、異なる濃度の添加剤を含む、請求項１に記載の方法。
【請求項１１】
前記添加剤は、空隙率、剛性、表面エネルギー、摩損性、伝導性、及び化学官能性からなる群から選択される前記研磨パッドの少なくとも１つの特性を変える、請求項１０に記載の研磨パッド。
【請求項１２】
研磨パッドであって、
複数の連続的に堆積された層を備え、
前記層の少なくとも１つは、添加剤がそのポリマーマトリクスに配置されているか又は架橋結合されている前駆体材料の重合反応生成物を含み、
前記添加剤の濃度は、前記層の水平方向にわたって変化し、
前記添加剤は、空隙率、剛性、表面エネルギー、摩損性、伝導性、及び化学官能性からなる群から選択される前記層の少なくとも１つの特性を変える、研磨パッド。
【請求項１３】
前記添加剤は、約５ｎｍから約５０ｎｍの間の直径を有する熱伝導性ナノ粒子を含む、請求項１２に記載の研磨パッド。
【請求項１４】
前記複数の研磨層と一体形成されたバッキング層を更に備え、前記バッキング層は前記複数の連続的に堆積された層と異なる材料を含む、請求項１２に記載の研磨パッド。
【請求項１５】
前記複数の層の少なくとも１つは横方向にわたって配置された複数の別個のゾーンを含み、前記複数の別個のゾーンはそれぞれ、異なる濃度の添加剤を含む、請求項１２に記載の研磨パッド。
【手続補正書】
【提出日】平成30年9月11日(2018.9.11)
【手続補正１】
【補正対象書類名】明細書
【補正対象項目名】００３４
【補正方法】変更
【補正の内容】
【００３４】
前記サンプリング装置は筐体を備えている。この筐体は、チャンバ、少なくとも１つの開口部、作動手段および分離区画を備えている。特に、筐体は密閉手段であり、これは、作動手段および分離区画をサンプリング装置内に保持する。
【手続補正２】
【補正対象書類名】特許請求の範囲
【補正対象項目名】全文
【補正方法】変更
【補正の内容】
【特許請求の範囲】
【請求項１】
筐体を備えたサンプリング装置であって、前記筐体は、チャンバ、少なくとも１つの開口部、作動手段および分離区画を備え、前記分離区画は、前記装置の外部環境の変化に対して反応する材料である保持手段によって前記筐体内に解放可能に保持され、前記作動手段は、内部物質を、前記開口部を通じて前記チャンバ中に吸い込むことができると同時に、前記分離区画が前記サンプリング装置の前記筐体から排出されるまで、該筐体に沿って該分離区画を押し、それによって、該サンプリング装置の該チャンバ内にサンプルを受け入れ、貯蔵するための増大した空間または容積が作り出される、サンプリング装置。
【請求項２】
前記保持手段がコーティングの形態にある材料である、請求項１記載のサンプリング装置。
【請求項３】
前記保持手段が、ｐＨ、温度、水分、光、溶質濃度または酵素分解に対して反応する材料である、請求項１または２記載のサンプリング装置。
【請求項４】
前記材料が、分解性、可消化性、または可溶性である、請求項１から３いずれか１項記載のサンプリング装置。
【請求項５】
前記少なくとも１つの開口部が入口および／または出口である、請求項１から４いずれか１項記載のサンプリング装置。
【請求項６】
前記開口部が一方向弁である、請求項１から５いずれか１項記載のサンプリング装置。
【請求項７】
前記作動手段が少なくとも１つのプランジャーを含む、請求項１から６いずれか１項記載のサンプリング装置。
【請求項８】
前記作動手段が、バネおよびプランジャー構成である、請求項１から７いずれか１項記載のサンプリング装置。
【請求項９】
前記作動手段が、前記サンプリング装置の前記筐体の一端に結合されており、前記分離区画が、該サンプリング装置の反対の端部で該筐体内に前記保持手段によって少なくとも解放可能に保持されている、請求項１から８いずれか１項記載のサンプリング装置。
【請求項１０】
前記保持手段が作動され、前記分離区画が、少なくとも部分的に解放され、前記作動手段から少なくとも部分的に外れる、請求項１から９いずれか１項記載のサンプリング装置。
【請求項１１】
前記作動手段が、前記分離区画が前記サンプリング装置よりそこから排出される前記筐体の端部でストッパー手段によって該筐体から排出されるのが防がれる、請求項１から１０いずれか１項記載のサンプリング装置。
【請求項１２】
前記ストッパー手段が、リップ、ピン、突出部または突起である、請求項１１記載のサンプリング装置。
【請求項１３】
前記分離区画が、少なくとも蓄電池、センサおよびマイクロプロセッサを含む、請求項１から１２いずれか１項記載のサンプリング装置。
【請求項１４】
前記センサがｐＨセンサおよび／または温度センサである、請求項１３記載のサンプリング装置。
【請求項１５】
前記分離区画が圧力スイッチをさらに含む、請求項１３または１４記載のサンプリング装置。
【請求項１６】
前記圧力スイッチが、前記分離区画が前記サンプリング装置の前記筐体から排出されるタイミングを記録するように適合されている、請求項１５記載のサンプリング装置。
【請求項１７】
前記装置が再利用可能である、請求項１から１６いずれか１項記載のサンプリング装置。
【請求項１８】
前記装置が、動物の胃腸管からの内部物質をサンプリングするためのものである、請求項１から１７いずれか１項記載のサンプリング装置。
【請求項１９】
前記保持手段が、前記筐体と前記分離区画との間に連動機構をさらに備える、請求項１から１８いずれか1項記載のサンプリング装置。
【請求項２０】
前記連動機構が、回転、半径方向、もしくは直線運動または手段によって、締結および／または解放される、請求項１９記載のサンプリング装置。
【請求項２１】
前記回転連動機構がバヨネット式マウントである、請求項２０記載のサンプリング装置。
【請求項２２】
前記半径方向連動機構がゴム製Ｏリングワッシャーである、請求項２０記載のサンプリング装置。
【請求項２３】
前記直線連動機構が、前記分離区画を適所に押すピンである、請求項２０記載のサンプリング装置。
【請求項２４】
前記連動機構が、電磁または圧電手段、形状記憶合金、筋肉ワイヤまたは犠牲ヒューズから選択されたトリガー手段によって作動される、請求項１９から２３いずれか１項記載のサンプリング装置。
【請求項２５】
前記連動機構が、解放パラメータに反応して解放される、請求項１９から２４いずれか１項記載のサンプリング装置。
【請求項２６】
前記連動機構および／または前記トリガー手段が、自動的に作動される、予めプログラミングされる、および／または遠隔作動される、請求項１９から２５いずれか１項記載のサンプリング装置。
【請求項２７】
前記解放パラメータが、ｐＨの変化、温度の変化、水分の変化、溶質濃度の変化、酵素濃度の変化または光の変化である、および／または所定の時間で、および／または所定のｐＨで、および／または所定の温度で、および／または所定の水分レベルで、および／または所定の溶質濃度で、および／または所定の酵素活性または濃度で作動される、請求項２５または２６記載のサンプリング装置。
【請求項２８】
前記連動機構が、トリガー手段によって作動されるバヨネット式マウントである、請求項５、１９から２７いずれか１項記載のサンプリング装置。
【請求項２９】
前記連動機構が、トリガー手段によって作動されるゴム製Ｏリングワッシャーである、請求項５、１９から２７いずれか１項記載のサンプリング装置。
【請求項３０】
動物の胃腸管のサンプルを得る方法において、請求項１から２９いずれか１項記載のサンプリング装置を前記動物に経口投与する工程、および前記装置を回収する工程を有してなる方法。
【請求項３１】
前記動物が、ヒト、コンパニオンアニマル、家畜または生産動物である、請求項３０記載の方法。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
一定の期間内に複数の動作フェーズを有する動きを実行する物体のＭＲ画像を生成する方法であって、当該方法は、
ＳＥＮＳＥアンダーサンプリング方式を用いて、複数の受信器コイルを使用して前記物体の１つの前記動作フェーズに関する第１のデータセットを収集するステップＳ１と、
ＳＥＮＳＥ再構成によって、前記第１のデータセットから関心領域の第１の画像を再構成するステップＳ２と、
動的領域及び静的領域を前記第１の画像内で特定するステップＳ３であって、これらの領域は前記一定の期間内に主に動的又は静的である、ステップＳ３と、
前記動的領域をマスクして外すことにより前記第１の画像を編集するステップＳ４と、
編集された前記第１の画像を、前記複数の受信器コイルのコイル感度により重み付けするステップＳ５と、
残りの前記静的領域を示す編集され重み付けされた前記第１の画像の逆フーリエ変換を実行するステップＳ６と、
複数の受信器コイルを使用して前記物体の１つの前記動作フェーズに関する第２のデータセットを収集するステップＳ７であって、収集中にアンダーサンプリングによって前記第２のデータセットが提供され、前記第１のデータセットの視野と比較して低減された視野が生じ、更に、前記第１のデータセットの収集に対するのと同じＳＥＮＳＥアンダーサンプリング方式を用いる、ステップＳ７と、
前記残りの静的領域を含む前記編集された第１の画像の逆フーリエ変換されたものを前記第２のデータセットから差し引くステップＳ８と、
差し引かれた前記第２のデータセットにフーリエ変換を実行するステップＳ９と、
前記第１の画像の前記関心領域について低減された関心領域の第２の画像を生成するステップＳ１０であって、前記低減された関心領域は動的領域を含む、ステップＳ１０と、
を含む、方法。
【請求項２】
前記動きを実行する物体は心臓であり、前記ＭＲ画像は心臓ＭＲ画像であり、前記物体の前記動作フェーズは心臓領域からの心フェーズである、請求項１に記載の方法。
【請求項３】
少なくとも１つの別の第２の画像が、１０個のステップのうちの前記ステップＳ７−Ｓ１０をそれぞれ頻繁に繰り返すことにより生成される、請求項１又は２に記載の方法。
【請求項４】
前記第１の画像はフルサンプル画像を使うことにより生成される、請求項１乃至３の何れか一項に記載の方法。
【請求項５】
前記編集された第１の画像は複数の画像に分割され、各画像はｋ空間領域で逆フーリエ変換される、請求項１に記載の方法。
【請求項６】
一定の期間内に複数の動作フェーズを有する動きを実行する物体のＭＲ画像を生成するＭＲＩシステムであって、当該ＭＲＩシステムは、
ＳＥＮＳＥアンダーサンプリング方式を用いて、複数の受信器コイルを使用して前記物体の１つの前記動作フェーズに関する第１のデータセットを収集することと、
ＳＥＮＳＥ再構成によって、前記第１のデータセットから関心領域の第１の画像を再構成することと、
動的領域及び静的領域を前記第１の画像内で特定することであって、これらの領域は前記一定の期間内に主に動的又は静的である、特定することと、
前記動的領域をマスクして外すことにより前記第１の画像を編集することと、
編集された前記第１の画像を、前記複数の受信器コイルのコイル感度により重み付けすることと、
残りの前記静的領域を示す編集され重み付けされた前記第１の画像の逆フーリエ変換を実行することと、
複数の受信器コイルを使用して前記物体の１つの前記動作フェーズに関する第２のデータセットを収集することであって、収集中にアンダーサンプリングによって前記第２のデータセットが提供され、前記第１のデータセットの視野と比較して低減された視野が生じ、更に、前記第１のデータセットの収集に対するのと同じＳＥＮＳＥアンダーサンプリング方式を用いる、収集することと、
前記残りの静的領域を含む前記編集された第１の画像の逆フーリエ変換されたものを前記第２のデータセットから差し引くことと、
差し引かれた前記第２のデータセットにフーリエ変換を実行することと、
前記第１の画像の前記関心領域について低減された関心領域の第２の画像を生成することであって、前記低減された関心領域は動的領域を含む、生成することと、
を実行する、ＭＲＩシステム。
【請求項７】
請求項１乃至５の何れか一項に記載の方法を実行する、請求項６に記載のＭＲＩシステム。
【請求項８】
磁気共鳴撮像の画像生成のためのコンピュータによるデータ処理ユニットを含む、請求項６又は７に記載のＭＲＩシステム。
【請求項９】
請求項１乃至５の何れか一項に記載の方法を実行するための、コンピュータプログラム。
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
複数のフィルタ区分（２１）、具体的にはフィルタカートリッジ（２２）を有するフィルタ（１９）を、前記フィルタ区分（２１）のうちの１つのフィルタ区分を１回にクリーニングする１つのクリーニング工程（５７）によって分割クリーニングするクリーニング方法であって、
前記フィルタ区分（２１）は、１つのクリーニングサイクル（５８）内で互いに時間的に分離されたクリーニング工程（５７）においてクリーニングされ、前記クリーニング方法は、少なくとも２つのクリーニングサイクル（５８）を有し、それぞれの前記クリーニングサイクル（５８）内の前記クリーニング工程（５７）間の時間間隔（Ｔ１）、並びに前記クリーニングサイクル（５８）のうちの１つのクリーニングサイクルの終了と、前記クリーニングサイクル（５８）の次のクリーニングサイクル（５８）の開始との間の時間間隔（Ｔ２）の両方が変化し、及び／又は、
前記フィルタ（１９）は、少なくとも３つのフィルタ区分（２１）を有し、該フィルタ区分（２１）は、１つのクリーニングサイクル（５８）内で互いに時間間隔（Ｔ１）だけ分離されたクリーニング工程（５７）においてクリーニングされ、連続するクリーニング工程（５７）間の前記時間間隔（Ｔ１）は変化し、
前記時間間隔（Ｔ１）は、フィードバック制御（５９）によって計算、規定又は決定され、前記フィードバック制御（５９）は、目標差圧（ＳＰ）と前記フィルタ（１９）のフィルタ入口（２４）とフィルタ出口（２５）との間の差圧（ＤＰ）の差分を制御偏差（６２）として使用し、前記フィードバック制御（５９）では、前記差圧（ＤＰ）及び／又は前記制御偏差（６２）が制御フィルタ（６７）を用いてフィルタ処理される、
ことを特徴とするクリーニング方法。
【請求項２】
第１及び第２のフィルタ区分（２１）の前記連続するクリーニング工程（５７）間の第１の時間間隔（Ｔ１）、並びに前記第２及び第３のフィルタ区分（２１）の前記連続するクリーニング工程（５７）間の第２の時間間隔（Ｔ１）は、それぞれ変化する、
請求項１に記載のクリーニング方法。
【請求項３】
前記時間間隔（Ｔ１、Ｔ２）は、前記フィードバック制御（５９）によって変化する、
請求項１又は２に記載のクリーニング方法。
【請求項４】
前記フィードバック制御（５９）は、前記差圧（ＤＰ）を調整し、及び／又は、前記差圧（ＤＰ）が、前記フィードバック制御（５９）における制御変数（６０）として使用される、
請求項３に記載のクリーニング方法。
【請求項５】
前記フィードバック制御（５９）において、前記目標差圧（ＳＰ）が基準変数（６１）として使用される、
請求項３又は４に記載のクリーニング方法。
【請求項６】
前記フィードバック制御（５９）は、ＰＩＤコントローラ（６３）をコントローラとして使用する、
請求項３から５の１項に記載のクリーニング方法。
【請求項７】
前記フィードバック制御（５９）において、前記フィルタ区分（２１）のうちの１つのフィルタ区分のクリーニング工程（５７）の始動、及び／又は弁（３１）の開閉が操作変数（６４）として使用される、
請求項３から６の１項に記載のクリーニング方法。
【請求項８】
前記差圧（ＤＰ）又は前記制御偏差（６２）は、低域通過特性でフィルタ処理される、
請求項４から７の１項に記載のクリーニング方法。
【請求項９】
前記差圧（ＤＰ）又は前記制御偏差（６２）は、１又は２以上のクリーニング工程（５７）によって生じる前記差圧（ＤＰ）のピーク及び／又は変動が少なくとも基本的に抑制及び／又はフィルタ処理されるように、前記制御フィルタ（６７）を用いてフィルタ処理される、
請求項４から８の１項に記載のクリーニング方法。
【請求項１０】
１つのクリーニングサイクル（５８）内の前記クリーニング工程（５７）間の前記時間間隔（Ｔ１）は一定であり、及び／又は一定に保たれる、
請求項１から９の１項に記載のクリーニング方法。
【請求項１１】
前記クリーニング工程（５７）間の前記時間間隔（Ｔ１）、及び／又は前記クリーニングサイクル（５８）のうちの１つのクリーニングサイクルの終了と、前記クリーニングサイクル（５８）のうちの次のクリーニングサイクル（５８）の開始との間の前記時間間隔（Ｔ２）は、前記フィルタ（１９）の目詰まり及び／又は汚損の増加と共に、及び／又は時間と共に、好ましくは少なくとも指数関数的に短くなる、
請求項１から１０の１項に記載のクリーニング方法。
【請求項１２】
前記クリーニング工程（５７）間の前記時間間隔（Ｔ１）、及び／又は前記クリーニングサイクル（５８）のうちの１つのクリーニングサイクルの終了と、前記クリーニングサイクル（５８）のうちの次のクリーニングサイクル（５８）の開始との間の前記時間間隔（Ｔ２）は、最大値及び／又は最小値を用いて制限される、
請求項１から１１の１項に記載のクリーニング方法。
【請求項１３】
前記フィルタ（１９）の、具体的には１つのフィルタ区分（２１）の、分割クリーニングに圧力パルスが使用される、
請求項１から１２の１項に記載のクリーニング方法。
【請求項１４】
前記１つのクリーニング工程（５７）に掛かる時間は、除去された粒子がクリーニング工程（５７）中にそれぞれのフィルタ区分（２１）の周辺の吸引領域を進む又は離れるのに必要とする時間よりも短い、
請求項１から１３の１項に記載のクリーニング方法。
【請求項１５】
請求項１から１４の１項に記載のクリーニング方法を実行するように構成された制御装置（２９）であって、好ましくは前記制御装置（２９）は、少なくとも１つの圧力センサ（３０）を用いて差圧（ＤＰ)を特定し、及び／又は弁（３１）にクリーニング工程（５７）を開始させるように構成される、
ことを特徴とする制御装置（２９）。
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
患者監視システムを較正する方法であって、当該方法は、
前記患者監視システムの画像検出器を使用して、較正オブジェクトの様々な向き及び位置での画像を含む較正画像のセットを取得するステップと、
該取得した較正画像を記憶するステップと、
該記憶した較正画像を処理して、前記画像検出器の位置及び向きを規定するカメラパラメータ、及び前記画像検出器の内部特性を特定するパラメータを計算するステップと、
該計算したパラメータを記憶するステップと、
続いて、前記画像検出器を使用して較正オブジェクトの追加画像を取得し、
前記画像検出器を使用して取得した前記追加画像と、記憶した前記カメラパラメータとを用いて前記画像検出器の内部特性の見かけの変化を検出し、
前記画像検出器の内部特性の見かけの変化が検出された場合に、前記画像検出器を使用して更なる較正画像のセットを取得するとともに、該更なる較正画像のセットを使用して前記画像検出器のカメラパラメータを再計算し、
前記画像検出器の内部特性の見かけの変化が検出されない場合に、記憶した前記較正画像のセットと、前記画像検出器によって取得した前記較正オブジェクトの追加画像とを使用して前記画像検出器のカメラパラメータを再計算することによって、前記患者監視システムを再較正するステップと、を含む、
方法。
【請求項２】
前記画像検出器の内部特性の見かけの変化を検出することは、記憶した前記較正画像を使用して決定された前記計算したカメラパラメータと、記憶した前記較正画像及び前記追加画像を使用して決定されたカメラパラメータとを比較することと、前記画像検出器の内部特性を特定するパラメータのいずれかが、閾値量を超えて異なるかどうかを決定することと、を含む、請求項１に記載の方法。
【請求項３】
前記画像検出器の内部特性の見かけの変化を検出することは、
記憶した前記カメラパラメータを利用して前記追加画像を処理して、前記画像検出器に対する前記較正オブジェクトの位置及び向きを決定することと、
記憶した前記カメラパラメータ及び較正シートの決定された位置及び向きを利用して、前記画像検出器の画像平面上への前記較正オブジェクトの予想される外観の逆投影を決定することと、
画像取込み検出器によって取り込まれた前記追加画像内の前記較正オブジェクトの外観を、前記較正オブジェクトの前記予想される外観の逆投影と比較することと、を含む、請求項１に記載の方法。
【請求項４】
記憶した前記較正画像のセットと、前記画像検出器によって取得した前記較正オブジェクトの前記追加画像とを使用して、画像検出器の前記カメラパラメータを再計算することは、前記追加画像を、他の画像と比較される基準画像として利用して、前記画像検出器の位置及び向き、及び前記画像検出器の内部特性を計算することを含む、請求項１乃至３のいずれか一項に記載の方法。
【請求項５】
前記較正画像のセットを取得するときに使用した前記較正オブジェクトは、前記追加画像を取得するために使用した前記較正オブジェクトとは異なる、請求項１乃至４のいずれか一項に記載の方法。
【請求項６】
前記更なる較正画像のセットを取得するときに使用した前記較正オブジェクトは、前記較正画像の前記セットを取得するときに使用した前記較正オブジェクトと同じである、請求項５に記載の方法。
【請求項７】
前記較正オブジェクト又は各較正オブジェクトは、較正シートを含む、請求項１乃至６のいずれか一項に記載の方法。
【請求項８】
前記追加画像は、前記患者監視システムの測定面上に直接的に配置された較正シートの画像を含む、請求項７に記載の方法。
【請求項９】
前記患者監視システムの測定面は、前記患者監視システムのために規定されたグローバル座標系のｚ＝０平面として規定される、請求項８に記載の方法。
【請求項１０】
前記患者監視システムのために規定された前記グローバル座標系は、前記患者監視システムによって監視される患者の表面の３Ｄワイヤメッシュモデルを生成するために使用される、請求項９に記載の方法。
【請求項１１】
較正画像のセットは、画像検出器の視野内の、較正オブジェクトの様々な向き及び様々な位置の少なくとも１０枚の画像を含む、請求項１乃至１０のいずれか一項に記載の方法。
【請求項１２】
前記患者監視システムは、複数の画像検出器を含む立体カメラシステムを有しており、前記患者監視システムを較正することは、請求項１乃至１１のいずれか一項に記載の方法に従って前記画像検出器のそれぞれを較正することを含む、方法。
【請求項１３】
前記患者監視システムの再較正が定期的に繰り返される、請求項１乃至１２のいずれか一項に記載の方法。
【請求項１４】
前記患者監視システムを使用して、前記較正オブジェクトの画像を取得することと、前記患者監視システムの前記再較正との間に患者の位置を監視することをさらに含む、請求項１３に記載の方法。
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
少なくとも部分的に眼に移植されるように構成される薬物送達デバイスであって、デバイスは、
デバイスの近位端領域の近傍に配置される保持構造；
保持構造の少なくとも一部に結合され、その中に延伸する貫通可能な要素；
デバイスの排出口と流体連結して配置される多孔性薬物放出機構；
縦軸を有する延伸するコア要素；および
延伸するコア要素の周りに配置され、１以上の治療剤を含有し、多孔性薬物放出機構を通して排出口と流体連結するように構成された体積を有するリザーバ
を含み、
ここでデバイスは、挿入の軸に沿って眼中へ少なくとも部分的に挿入されるように構成され、および
ここでリザーバは、第１三次元形状を有する挿入構成から第２三次元形状を有する展開された構成に拡大するように構成され、ここで第２三次元形状は、延伸するコア要素の縦軸に対して相対的に偏心して配置される、
前記デバイス。
【請求項２】
展開された構成におけるリザーバの体積の第１部分が、眼の水晶体から離れて拡大し、体積の残余部分よりも大きく、任意に、第１部分および残余部分の各々が、眼の視軸の外側にあり続ける、請求項１に記載のデバイス。
【請求項３】
リザーバが、非膨張的に展開された構成に拡大する不適合材料で形成され、任意に、リザーバの不適合材料が、第１三次元形状から第２三次元形状へ拡大するが、第２三次元形状を越えては伸びない、請求項１または２のいずれかに記載のデバイス。
【請求項４】
リザーバの近位端が、展開された構成におけるとき、眼の貫通部位を囲む１以上の内部組織表面からある距離で分離される、および／または、デバイスが、展開された構成において視軸の外側にあり続ける、請求項１〜３のいずれか一項に記載のデバイス。
【請求項５】
延伸するコア要素が、デバイスの近位端領域からデバイスの遠位端領域に延伸し、任意に、薬物放出機構がデバイスの遠位端領域の近傍でコア要素に結合され、および、保持構造がデバイスの近位端領域の近傍でコア要素に結合される、請求項１〜４のいずれか一項に記載のデバイス。
【請求項６】
延伸するコア要素が、内腔および延伸するコア要素の壁を通して延伸する１以上の開口を含み、任意に、延伸するコア要素の内腔が、１以上の開口を通してリザーバ体積と流体連結し、および／または、１以上の開口が、デバイス中へ注入される材料の流れをリザーバ体積の中へ導き、多孔性薬物放出要素を通したリザーバ体積からの材料の発散を可能にする、請求項５に記載のデバイス。
【請求項７】
延伸するコア要素が、円筒形を含み、および、１以上の開口を通して流れを導くフローディレクタをさらに含み、フローディレクタが、漏斗形状の領域によって第２円筒領域に結合される第１円筒領域を含み、ここで第１円筒領域は、第２円筒領域よりも大きい断面直径を有する、請求項６に記載のデバイス。
【請求項８】
フローディレクタが、延伸するコア要素の内腔内に配置される貫通可能な障壁を含み、ここで貫通可能な障壁は、内腔を密閉する、請求項７に記載のデバイス。
【請求項９】
保持構造が眼の強膜の外側に延伸するように構成される近位フランジ要素および首部を含み、首部は、眼の強膜における貫通部位を通して延伸するように構成される近位領域、および、眼の強膜の内側に延伸する遠位延伸部を有し、首部の遠位延伸部が、デバイスの近位端の近傍で延伸するコア要素の一部を囲み、リザーバの配置を維持するために首部の安定化を提供し、および／または、首部の遠位延伸部が、リザーバと、貫通部位に隣接する眼の内部表面との間の接触を防ぐ、請求項５〜８のいずれか一項に記載のデバイス。
【請求項１０】
近位フランジ要素の上方表面が、展開された構成におけるリザーバの方向付けを示し、フランジ要素の上方表面が、眼の外側から使用者に見える方向付け標識を含み、任意に、方向付け標識が、フランジ要素の形状、または、フランジ要素の上方表面上の印であり、任意に、首部の遠位延伸部が、方向付け標識によって示されるとおりリザーバの配置を維持するために首部の安定化を提供し、任意に、方向付け標識が、第２三次元形状の偏心方向を使用者に示し、任意に、第２三次元形状の偏心方向が、延伸するコア要素の縦軸に関連し、任意に、延伸するコア要素が、リザーバの壁に関連して実質的に硬質である、請求項９に記載のデバイス。
【請求項１１】
少なくとも部分的に眼に移植されるように構成される薬物送達デバイスであって、デバイスは、
不適合材料で形成されたリザーバであって、ここでリザーバは、１以上の治療剤を含有するように構成された体積を形成する、前記リザーバ；
リザーバの近位端領域とリザーバの遠位端領域との間の体積を通して延伸する延伸するコア要素であって、ここで延伸するコア要素は、腔を囲む壁、腔への注入口、腔からの排出口、および注入口と排出口との間の延伸するコア要素の壁を通して延伸する１以上の開口を有し、ここで腔は、１以上の開口を介してリザーバの体積と流体連結している、前記延伸するコア要素；および
排出口内に配置され、および、多孔性薬物放出機構を通して体積から１以上の治療剤を放出するように構成される、多孔性薬物放出機構
を含み、
ここでリザーバの不適合材料は、デバイスが挿入構成にあるとき、延伸するコア要素の周りで崩れ、１以上の治療剤で体積を充填する前に第１三次元形状を形成するように構成され、および、
ここでリザーバの不適合材料は、デバイスが展開された構成にあるとき、延伸するコア要素から離れて偏心して拡大し、１以上の治療剤で体積を充填すると第２三次元形状を形成するように構成される、
前記デバイス。
【請求項１２】
デバイスの近位端領域の近傍に配置される保持構造、および、保持構造の少なくとも一部に結合され、その中に延伸する貫通可能な要素をさらに含み、および／または、延伸するコア要素の腔内に配置されるフローディレクタをさらに含み、ここでフローディレクタは、リザーバ体積を充填することを容易にするように構成され、任意に、フローディレクタが、漏斗形状の領域によって第２円筒領域に結合される第１円筒領域を含み、延伸するコア要素における１以上の開口を通して流れを導き、ここで第１円筒領域は、第２円筒領域よりも大きい断面直径を有する、請求項１１に記載のデバイス。
【請求項１３】
第２三次元形状が、延伸するコア要素に関連する大部分および延伸するコア要素に関連する小部分を有し、任意に、目の中でリザーバが展開された構成で拡張されると、大部分が眼の硝子体の空洞の前部組織から離れて導かれる、請求項１１または１２に記載のデバイス。
【請求項１４】
１以上の開口部が、デバイス内に注入された材料の流れをリザーバ体積内に導き、リザーバ体積からの材料を、排出口内に配置された多孔性薬物放出要素を通って拡散させる、請求項１３に記載のデバイス。
【請求項１５】
リザーバの不適合材料が、リザーバ容積内に吸引を適用すると、展開された構成から挿入構成に向かって崩れるように構成される、請求項１３に記載のデバイス。
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
処置されるべき表面に対面する面（３）及び処置されるべき表面から離れた面（４）を有する可撓性の平面多層システム（２）を備えた、ヒト及び／または動物の表面の処置のための低温大気圧プラズマを発生するための装置（１）であって、該多層システム（２）は、以下の層：
−  該多層システム（２）の該離れた面（４）側の第１の電極層（１２）、
−  該多層システム（２）の該対面する面（３）側の第２の電極層（１４）、ここで、該電極層は多数の凹部（９０）を備え、または蛇行若しくはグリッド様に形成され、
−  該第１の電極層（１２）と該第２の電極層（１４）との間に配置された誘電体層（１３）、及び
−  該多層システム（２）の該対面する面（４）側の該第２の電極層（１４）の上部に配置されるスペーサー層（１６）、
を備えた、前記装置（１）。
【請求項２】
前記多層システム（２）は、さらに第１の絶縁層（１１）を備え、ここで、該第１の絶縁層（１１）は、該多層システム（２）の前記処置されるべき表面から離れた面（４）側に、前記第１の電極層（１２）に近接して配置される、請求項１に記載の装置（１）。
【請求項３】
前記多層システム（２）は、さらに第２の絶縁層（１５）を備え、ここで、該第２の絶縁層（１５）は、該多層システム（２）の前記処置されるべき表面に対面する面（３）側に、前記第２の電極層（１４）に近接して配置される、請求項１または２に記載の装置（１）。
【請求項４】
前記第２の絶縁層（１５）は、１０μｍから３００μｍの間の厚さを有する、請求項３に記載の装置（１）。
【請求項５】
前記多層システム（２）は、さらに第３の絶縁層（１７）を備え、ここで、該第３の絶縁層（１７）は、該多層システム（２）の前記処置されるべき表面に対面する面（３）側に、前記スペーサー層（１６）に近接して配置される、請求項１〜４のいずれか１項に記載の装置（１）。
【請求項６】
前記第３の絶縁層（１７）は、５０μｍから３００μｍの間の厚さを有することを特徴とする、請求項５に記載の装置（１）。
【請求項７】
前記第１の電極層（１２）は連続で、または複数の凹型を有して形成される、請求項１〜６のいずれか１項に記載の装置（１）。
【請求項８】
前記第２の電極層（１４）における前記凹部（９０）が、穴形（９１）、帯形（９２）、蛇行（９５）、ハニカム形（９４）、円形（９６）及び／または四角形（９３）の形状を有する、請求項１〜７のいずれか１項に記載の装置（１）。
【請求項９】
前記第１の電極層（１２）における前記凹部（９０）が、穴形（９１）、帯形（９２）、蛇行（９５）、ハニカム形（９４）、円形（９６）及び／または四角形（９３）の形状を有する、請求項７に記載の装置（１）。
【請求項１０】
前記装置（１）は、情報担体（８０）を備え、前記装置（１）を動作させるための少なくとも１つの動作パラメーターが記録されている、請求項１〜９のいずれか１項に記載の装置（１）。
【請求項１１】
請求項１〜１０のいずれか１項に記載の装置（１）へ接続するためのケーブル（５）であって、該ケーブル（５）は、該装置（１）と該ケーブル（５）との間のプラグイン高電圧接続を提供するように構成されたプラグ（３０）を有する、前記ケーブル（５）。
【請求項１２】
前記ケーブルはクランプ装置（３３）を有し、及び該クランプ装置（３３）は、開位置（Ａ）と閉位置（Ｂ）との間で移動可能であり、ここで、該閉位置（Ｂ）においては、前記装置（１）は電気的に該ケーブル（５）に接続され、及び該開位置（Ａ）においては、前記装置は電気的に該ケーブル（５）からは切り離されている、請求項１１に記載のケーブル（５）。
【請求項１３】
低温大気圧プラズマを発生するための高電圧を供給するための発電機ユニット（７０）であって、ヒト及び／または動物の表面を処置するための、請求項１〜１０のいずれか１つに記載の装置（１）を備え、ここで、該発電機ユニット（７０）は該装置（１）を制御するように構成される、前記発電機ユニット（７０）。
【請求項１４】
前記発電機ユニット（７０）は、さらに、前記装置（１）中または前記装置（１）にある、情報担体（８０）から、該装置を制御するための動作パラメーターを読み出すように構成される、請求項１３に記載の発電機ユニット（７０）。
【請求項１５】
請求項１〜１０のいずれか１つに記載の装置（１）、請求項１１または１２に記載のケーブル（５）及び請求項１３または１４に記載の発電機ユニット（７０）を有するシステム（１００）。
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
折り畳まれた状態から拡張された状態に拡張可能であり、複数のプリーツを有するプリーツ状フィルタ媒体を含む、フィルタ媒体組立体と、
前記複数のプリーツのうちの少なくともいくつかを接続する弾性拡張可能要素と、を備えたエアフィルタであって、
前記拡張可能要素は、弾性糸、弾性フィラメント、弾性ストリップ、押し出し成形弾性フィラメント、及び／又は弾性網状物のうちの少なくとも１つであり、
前記フィルタ媒体組立体は、前記折り畳まれた状態から前記拡張された状態へ実質的に均一に拡張する、エアフィルタ。
【請求項２】
複数の拡張可能要素を備える、請求項１に記載のエアフィルタ。
【請求項３】
前記拡張可能要素は、前記フィルタ媒体の前記プリーツ先端の全て、前記フィルタ媒体の前記プリーツ先端の大半、前記フィルタ媒体の前記プリーツ先端のうちのいくつか、隣接する複数のプリーツ先端、複数の交互のプリーツ先端、のうちの少なくとも１つに接続されている、請求項１に記載のエアフィルタ。
【請求項４】
１つのプリーツ先端に２つ以上の拡張可能要素が接続されている、請求項１に記載のエアフィルタ。
【請求項５】
前記拡張可能要素は、前記下部のプリーツ先端、前記上部のプリーツ先端、並びに／又は、前記上部及び下部のプリーツ先端、のうちの少なくとも１つに取り付けられている、請求項１に記載のエアフィルタ。
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
胆嚢に植え込むためのフィルター装置であって、
特定の最小サイズの胆石を濾別し、それらが胆嚢の開口を通って胆嚢から出ることを防止するように構成されたフィルター部分と、
特定の最小サイズの胆石を胆嚢の開口から離れるように押すように構成された遮断部分と、
を含み、
遮断部分が、胆嚢の開口に対してフィルター部分から遠位に位置され、
遮断部分及びフィルター部分が、胆嚢の壁に付着していないか、又は胆嚢の壁に拡張性の半径方向の力を付与していない、フィルター装置。
【請求項２】
遮断部分とフィルター部分が同じである、請求項１に記載のフィルター装置。
【請求項３】
フィルター部分から胆嚢の開口の方に延び、かつ胆嚢中のフィルター装置の動きを減少するように構成された固定部分をさらに含む、請求項１又は２に記載のフィルター装置。
【請求項４】
胆嚢の開口から離れてフィルター装置の長手方向軸に延びるストッパーをさらに含み、ストッパー及び固定部分が、一緒になって胆嚢の開口から離れる固定部分の移動を防止する、請求項１〜３のいずれかに記載のフィルター装置。
【請求項５】
少なくともフィルター部分がメッシュである、請求項１〜４のいずれかに記載のフィルター装置。
【請求項６】
少なくともフィルター部分がコイルである、請求項１〜５のいずれかに記載のフィルター装置。
【請求項７】
少なくともフィルター部分がせん孔されているか、又は多孔性シートである、請求項１〜６のいずれかに記載のフィルター装置。
【請求項８】
フィルター装置が単一のフィラメントから構成される、請求項１〜７のいずれかに記載のフィルター装置。
【請求項９】
フィルター装置が金属、形状記憶合金、及びポリマーのうちの少なくとも一つから作られる、請求項１〜８のいずれかに記載のフィルター装置。
【請求項１０】
フィルター装置が、植え込み後に医薬を溶出するように適応されている、請求項１〜９のいずれかに記載のフィルター装置。
【請求項１１】
フィルター装置が生体吸収性及び生物分解性のうちの少なくとも一つである、請求項１〜１０のいずれかに記載のフィルター装置。
【請求項１２】
遮断部分及びフィルター部分の少なくとも一つが生物膜成長を防止するように構成される、請求項１〜１１のいずれかに記載のフィルター装置。
【請求項１３】
遮断部分、固定部分及びフィルター部分のうちの少なくとも一つが生物膜成長を防止するように構成される、請求項３に記載のフィルター装置。
【請求項１４】
フィルター部分が直径５ｍｍ又はそれより大きい胆石を濾別するように構成される、請求項１〜１３のいずれかに記載のフィルター装置。
【請求項１５】
フィルター部分が４ｍｍ以下離れたワイヤーで構成される、請求項１〜１４のいずれかに記載のフィルター装置。
【請求項１６】
胆嚢に植え込むためのフィルター装置の送出のためのシステムであって、
特定の最小サイズの胆石を胆嚢の開口から離れるように押すように構成された遮断部分を含むフィルター装置と、
カテーテルであって、それを通して胆嚢にフィルター装置を移行するために構成されたカテーテルと、
を含むシステム。